(57)【要約】      （修正有）【課題】避難所の床面を傷つけることなく設置、使用することができる災害避難用仮設テントを提供する。【解決手段】災害避難用仮設テント１を、骨組２と、該骨組２の外側から被せられるテント本体３と、下敷部材としての畳４と、該畳４及び床面側の骨組２と床面との間に配置される部分を有する支承部材とを備える構成にする。畳４を、床面側に配置される横枠部２１に囲まれた部分に配置する。支承部材を、角部三叉継手部材６１及びＴ型三叉継手部材６２の床面との対向面側に配置する。【選択図】図１
0003169545.tif 000002
【実用新案登録請求の範囲】
【請求項１】
複数の横枠部が多角形状に少なくとも床面の側に配置され前記床面の側の横枠部から立設される縦枠部を備える骨組と、該骨組の外側から被せられるテント本体と、を備えた災害避難用仮設テントであって、
前記床面の側の前記横枠部で囲まれた部分に配置される下敷部材と、
前記下敷部材と前記床面との間に配置されるとともに前記下敷部材の一部が乗せられる下敷部材支承部と、前記横枠部と前記床面との間に配置されるとともに前記横枠部を支持する横枠部支承部と、を備え弾性部材で形成された支承部材と、
を備えることを特徴とする災害避難用仮設テント。
【請求項２】
前記骨組が、継手部材によって連結されて組み立て可能に形成され、
前記支承部材が、平板状に形成され、前記床面の側の前記横枠部を連結する該継手部材の前記床面との対向面側に配置されていることを特徴とする請求項１記載の災害避難用仮設テント。
【請求項３】
前記骨組は、複数の横枠部が多角形状に天井側に配置され、前記床面の側の横枠部と前記天井側の前記横枠部とが前記縦枠部によって連結され、
前記テント本体が、天井壁部と、複数の側壁部とを有し、
隣接する前記側壁部どうしが前記縦枠部に沿って分割され、分割部分は、ファスナーで連結分離可能に形成されていることを特徴とする請求項１又は２記載の災害避難用仮設テント。
【請求項４】
前記テント本体の前記天井壁部が網目状に形成されていることを特徴とする請求項３記載の災害避難用仮設テント。
【考案の詳細な説明】
【技術分野】
【０００１】
本考案は、災害時に避難所等に設置されプライバシーを保護する災害避難用仮設テントに関するものである。
【背景技術】
【０００２】
震災等で家を失った場合、避難所となる体育館等での集団生活を余儀なくされ、間仕切り等のない大部屋では、プライバシーが守れずストレスが生じる。それに対応するため、災害救護用応急仮設テントハウスとして、特許文献１に記載されたものがあった。
【０００３】
これによると、鋼管等で組み立てられた骨組の内側に屋根シート部と、壁シート部と、床シート部からなる袋状ハウス本体を配置して吊り下げ、屋根シート部を骨組の外側から屋根カバーシートで覆うとともに、壁シート部を骨組の外側から壁カバーシートを覆って構成されていた。
【先行技術文献】
【特許文献】
【０００４】
【特許文献１】特開２００８−２１４９６２号公報
【考案の概要】
【考案が解決しようとする課題】
【０００５】
しかし、上記に示す従来の災害救護用応急仮設テントハウスでは、骨組のうち床面に接する横つなぎ材が角形鋼で形成され、横つなぎ材と連結されるジャッキベースのベースプレートも、「取付片を介して溶接で固着される」とあるので、何らかの金属製であると推察される。このことより、災害救護用応急仮設テントハウスの設置、使用により災害時に避難所となる体育館等の床面を傷つけ撤去後の通常使用に支障をきたすおそれがあった。
【０００６】
本考案は、上記事情に鑑み、避難所の床面を傷つけることなく設置、使用することができる災害避難用仮設テントを提供することを目的とする。
【課題を解決するための手段】
【０００７】
請求項１記載の考案の災害避難用仮設テントでは、床面の側の横枠部で囲まれた部分に配置される下敷部材と、下敷部材と床面との間に配置されるとともに下敷部材の一部が乗せられる下敷部材支承部と、横枠部と床面との間に配置されるとともに横枠部を支持する横枠部支承部と、を備え弾性部材で形成された支承部材と、を備える構成にしている。
【０００８】
弾性部材で形成された横枠部支承部により、災害避難用仮設テントの重さを吸収するので避難所の床面を傷つけることなく、災害避難用仮設テントを設置、使用することができる。また、下敷部材の重さで下敷部材支承部が、避難所の床面に押し付けられ災害避難用仮設テントのズレを防止することができる。
【０００９】
請求項２記載の考案の災害避難用仮設テントでは、骨組を、継手部材によって連結して組み立て可能に形成して、支承部材を、平板状に形成して、床面の側の横枠部を連結する継手部材の床面との対向面側に配置している。
【００１０】
支承部材を、横枠部、縦枠部が連結され災害避難用仮設テントの荷重がかかりやすい継手部材の床面との対向面側に配置することで、避難所の床面を傷つけることなく、災害避難用仮設テントを設置、使用することができる。また、支承部材を、平板状に形成することで、床面と接する面積が増えて摩擦力が大きくなるので、災害避難用仮設テントのズレを防止することができる。さらに、骨組を組み立て可能に形成することで、平時においては分解して収納可能となるので収納スペースを少なくすることができる。
【００１１】
請求項３記載の考案の災害避難用仮設テントでは、複数の横枠部を多角形状に天井側に配置して、床面の側の横枠部と天井側の横枠部とを縦枠部によって連結して、テント本体を、天井壁部と、複数の側壁部と、を有する構成にし、隣接する側壁部どうしを縦枠部に沿って分割して、分割部分を、ファスナーで連結分離可能に形成している。これにより、寒暖に応じて側壁部を連結分離させて開放閉鎖することが可能となり、必要に応じて温度調整することができる。
【００１２】
請求項４記載の考案の災害避難用仮設テントでは、テント本体の天井壁部を網目状に形成しているので、テント本体の天井壁部より採光することが可能となり、災害避難用仮設テント内の照明を昼間時において不要とすることができる。
【考案の効果】
【００１３】
本願発明では、弾性部材で形成された横枠部支承部により、災害避難用仮設テントの重さを吸収するので避難所の床面を傷つけることなく設置、使用することができる。
【図面の簡単な説明】
【００１４】
【図１】本考案の一実施形態の災害避難用仮設テントのテント本体を外した状態の斜視図である。
【図２】同実施形態の災害避難用仮設テントのテント本体と畳を外した状態の斜視図である。
【図３】同実施形態の災害避難用仮設テントの使用状態の斜視図である。
【図４】図３において入口を開けた状態の斜視図である。
【図５】同実施形態の災害避難用仮設テントのテント本体の展開斜視図である。
【図６】同実施形態の災害避難用仮設テントの横枠部で囲まれた部分に畳を配置した状態の斜視図である。
【図７】同実施形態の災害避難用仮設テントの支承部材と畳とと角部三叉継手部材とが配置された状態を示す部分拡大図である。
【図８】同実施形態の災害避難用仮設テントの支承部材と畳とＴ型三叉継手部材との関係を示す部分拡大図である。
【図９】同実施形態の災害避難用仮設テントの（ａ）支承部材の変形例の斜視図であり、（ｂ）支承部材と畳と横枠部とが配置された状態を示す部分断面図である。
【考案を実施するための形態】
【００１５】
本考案の第１の実施形態の災害避難用仮設テントについて図面に基づいて説明する。以下の説明では、後述する床面Ｆ側を下とし、その反対側を上とする。後述する骨組２の広口部位２３側を前、その反対側を後ろとし、前後方向及び上下方向に直交する方向を左右方向をとする。
【００１６】
災害避難用仮設テント１は、図１、２に示すように、骨組２と、骨組２の外側から被せられるテント本体３と、下敷部材としての畳４と、畳４及び床面Ｆ側の骨組２と床面Ｆとの間に配置される部分を有する支承部材５と、を備えている。
【００１７】
骨組２は、図２に示すように、前後方向又は左右方向に沿って配置される横枠部２１と、上下方向に沿って配置される縦枠部２２と、横枠部２１、縦枠部２２を適宜連結する継手部材６と、で構成され、全体として立方体形状をなしている。
【００１８】
横枠部２１は、合成樹脂により被覆された円筒状の鋼製パイプが用いられている。本実施形態では、長さが９００ｍｍに形成され、後述する広口部位２３の床面Ｆ側に配置されるもののみ長さ１８００ｍｍに形成されている。
【００１９】
縦枠部２２は、合成樹脂により被覆された円筒状の鋼製パイプが用いられている。本実施形態では、長さ１８００ｍｍに形成されている。
【００２０】
継手部材６は、合成樹脂で形成され、図２に示すように、角部三叉継手部材６１と、Ｔ型三叉継手部材６２と、四叉継手部材６３と、十字継手部材６４と、が連結部位に応じて用いられている。
【００２１】
角部三叉継手部材６１は、平面視において外側の横枠部２１で囲まれた矩形状部分の角部分に八か所配置され、図２の状態において、平面視において外側に配置される横枠部２１が挿入される円筒状の挿入部を前後方向に沿って一か所、左右方向に沿って一か所、縦枠部２２が挿入される円筒状の挿入部を上下方向に一か所、有している。
【００２２】
Ｔ型三叉継手部材６２は、床面Ｆ側に配置される角部三叉継手部材６１の間に三か所、広口部位２３側の上側の角部三叉継手部材６１の間に一か所配置されている。図２の状態において、床面Ｆ側に配置される角部三叉継手部材６１の間に配置されるＴ型三叉継手部材６２は、平面視において外側に配置される横枠部２１が挿入される円筒状の挿入部を前後方向又は左右方向に沿って二か所、縦枠部２２が挿入される円筒状の挿入部を上下方向に沿って一か所、有している。広口部位２３側の上側の角部三叉継手部材６１の間に配置されるＴ型三叉継手部材６２は、平面視において外側に配置される横枠部２１が挿入される円筒状の挿入部を左右方向に沿って二か所、平面視において内側に配置される横枠部２１が挿入される円筒状の挿入部を前後方向に沿って一か所、の計三か所有している。
【００２３】
四叉継手部材６３は、上側に配置される角部三叉継手部材６１の間に三か所配置され、図２の状態において、平面視において外側に配置される横枠部２１が挿入される円筒状の挿入部を前後方向又は左右方向に沿って二か所平面視において内側に配置される横枠部２１が挿入される円筒状の挿入部が前後方向又は左右方向に沿って一か所、縦枠部２２が挿入される円筒状の挿入部を上下方向に沿って一か所、有している。
【００２４】
十字継手部材６４は、天井側の外側に配置される横枠部２１に囲まれた矩形状部分の中央部に配置され、図２の状態において、平面視において内側に配置される横枠部２１が挿入される円筒状の挿入部を前後方向及び左右方向に沿って四か所有している。
【００２５】
床面Ｆ側の骨組２は、複数の横枠部２１が角部三叉継手部材６１、Ｔ型三叉継手部材６２を用いて口の字状に連結されて配置されている。上側（天井側）の骨組２は、複数の横枠部２１が角部三叉継手部材６１、Ｔ型三叉継手部材６２、四叉継手部材６３、十字継手部材６４を用いて田の字状に配置されている。骨組２は、床面Ｆ側の横枠部２１と天井側の横枠部２１とが、平面視において対応する角部三叉継手部材６１どうし及び平面視において対応するＴ型三叉継手部材６２と四叉継手部材６３とに、縦枠部２２が挿入されて連結されている。組み上げられた骨組２は、前側に縦枠部２２が配置されない広口部位２３を有している。
【００２６】
テント本体３は、図３、４、５に示すように、床面Ｆ側が開口した袋体に形成され、天井壁部３１と、四つの側壁部３２と、を備えている。
【００２７】
天井壁部３１は、矩形状でメッシュ生地が用いられ、屋内において採光可能に形成されている。
【００２８】
側壁部３２は、矩形状でポリエステル生地が用いられ、上端部が天井壁部３１の外周縁部と縫合されるとともに、上下方向に沿った両端部がファスナー３２ａを有して隣接する側壁部３２どうしを連結分離可能に形成されている。
【００２９】
骨組２の広口部位２３に配置される側壁部３２には、人を出入り可能とする入り口３２ｂを有している。入り口３２ｂは、上下方向に沿って二つのファスナーファスナー３２ｃ、３２ｃが平行に配設され、開閉可能に形成されている。
【００３０】
畳４は、図１、６に示すように、弾性を有した部材で縦９８ｍｍ横９８ｍｍ高さ３０ｍｍに形成され、平面視において、床面Ｆ側に配置される横枠部２１に囲まれた部分に四枚配置されている。
【００３１】
支承部材５は、図２、７、８に示すように、床面Ｆ側に配置される角部三叉継手部材６１と、床面Ｆ側に配置されるＴ型三叉継手部材６２と、に配置されている。
【００３２】
角部三叉継手部材６１に配置される支承部材５（これを、角支承部材５１とする。）は、図７に示すように、矩形平板状のゴムが用いられ平面視において畳４の一部及び角部三叉継手部材６１を乗せることができる面積を有して形成されている。
【００３３】
角支承部材５１は、畳４と床面Ｆとの間に配置されるとともに畳４の一部が乗せられる下敷部材支承部５１ａと、横枠部２１が連結される角部三叉継手部材６１と床面Ｆとの間に配置されるとともに角部三叉継手部材６１が乗せられ横枠部２１を支持する横枠部支承部５１ｂと、を備えている。
【００３４】
Ｔ型三叉継手部材６２に配置される支承部材５（これを、中央支承部材５２とする。）は、図８に示すように、矩形平板状のゴムが用いられ平面視において畳４の一部及びＴ型三叉継手部材６２を乗せることができる面積を有して形成されている。
【００３５】
中央支承部材５２は、畳４と床面Ｆとの間に配置されるとともに畳４が乗せられる下敷部材支承部５２ａと、横枠部２１が連結されるＴ型三叉継手部材６２と床面Ｆとの間に配置されるとともにＴ型三叉継手部材６２が乗せられ横枠部２１を支持する横枠部支承部５２ｂと、を備えている。
【００３６】
支承部材５は、床面Ｆ及び畳４とズレが生じない摩擦力を有している。
【００３７】
本考案の災害避難用仮設テント１の使用方法は、横枠部２１を、角部三叉継手部材６１及びＴ型三叉継手部材６２を用いて連結して、口の字状に形成して床面Ｆに設置する。この時、角部三叉継手部材６１と床面Ｆとの間に角支承部材５１を配置するとともに横枠部支承部５１ｂに横枠部２１が連結される角部三叉継手部材６１を乗せて横枠部２１を支持する。また、Ｔ型三叉継手部材６２と床面Ｆとの間に中央支承部材５２を配置するとともに横枠部支承部５２ｂに横枠部２１が連結されるＴ型三叉継手部材６２を乗せて横枠部２１を支持する。
【００３８】
そして、角部三叉継手部材６１及びＴ型三叉継手部材６２に縦枠部２２を挿入して上方に延びるように配置する。横枠部２１を、角部三叉継手部材６１と、Ｔ型三叉継手部材６２と、四叉継手部材６３と、を用いて連結して、天井壁部３１側の横枠部２１を田の字状に形成する。床面Ｆ側の横枠部２１と天井側の横枠部２１とを、平面視において対応する角部三叉継手部材６１どうし及び平面視において対応するＴ型三叉継手部材６２と四叉継手部材６３とに、縦枠部２２を挿入して連結して図２の状態にする。
【００３９】
畳４の一部を、角支承部材５１の下敷部材支承部５１ａ及び中央支承部材５２の下敷部材支承部５２ａに乗せつつ、骨組２の床面側に配置される横枠部２１に囲まれた部分に配置して図１の状態にする。
【００４０】
完成した骨組２の上側から、テント本体３を覆いかぶせ、連接する側壁部３２どうしをファスナー３２ａで連結する。必要に応じて骨組２と、テント本体３とを支持部材等を用いて固定して、災害避難用仮設テント１が図３の状態になり、設置が完了する。
【００４１】
使用を終了する際には、上記の手順の逆の手順により、災害避難用仮設テント１を分解撤去する。
【００４２】
組立手順は、上記の手順にこだわるものではなく、適宜状況に応じて変更することができる。
【００４３】
本考案の災害避難用仮設テント１では、床面Ｆ側の横枠部２１で囲まれた部分に配置される畳４と、畳４と床面Ｆとの間に配置されるとともに畳４の一部が乗せられる下敷部材支承部５１ａ及び下敷部材支承部５２ａと、横枠部２１が連結される角部三叉継手部材６１及びＴ型三叉継手部材６２と床面Ｆとの間に配置されるとともに横枠部２１が連結される角部三叉継手部材６１及びＴ型三叉継手部材６２が乗せられ横枠部２１を支持する横枠部支承部５１ｂ及び横枠部支承部５２ｂと、を備え弾性部材で形成された角支承部材５１及び中央支承部材５２と、を備える構成にしている。
【００４４】
弾性部材で形成された横枠部支承部５１ｂ及び横枠部支承部５２ｂにより、災害避難用仮設テント１の重さを吸収するので避難所の床面Ｆを傷つけることなく、災害避難用仮設テント１を設置、使用することができる。また、畳４の重さで下敷部材支承部５１ａ及び下敷部材支承部５２ａが、避難所の床面Ｆに押し付けられ災害避難用仮設テント１のズレを防止することができる。
【００４５】
骨組２を、角部三叉継手部材６１と、Ｔ型三叉継手部材６２と、四叉継手部材６３と、十字継手部材６４によって連結して組み立て可能に形成して、角支承部材５１及び中央支承部材５２を、平板状に形成して、床面Ｆ側の横枠部２１を連結する角部三叉継手部材６１及びＴ型三叉継手部材６２の床面Ｆとの対向面側に配置している。
【００４６】
角支承部材５１及び中央支承部材５２を、横枠部２１、縦枠部２２が連結され災害避難用仮設テント１の荷重がかかりやすい角支承部材５１及び中央支承部材５２の床面Ｆとの対向面側に配置することで、避難所の床面Ｆを傷つけることなく、災害避難用仮設テント１を設置、使用することができる。また、角支承部材５１及び中央支承部材５２を、平板状に形成することで、床面Ｆと接する面積が増えて摩擦力が大きくなるので、災害避難用仮設テント１のズレを防止することができる。さらに、骨組２を組み立て可能に形成することで、平時においては分解して収納可能となるので収納スペースを少なくすることができる。
【００４７】
また、複数の横枠部２１を多角形状に上側（天井側）に配置して、床面Ｆ側の横枠部２１と天井側の横枠部２１とを縦枠部２２によって連結して、テント本体３を、天井壁部３１と、側壁部３２と、を有する構成にし、側壁部３２が縦枠部２２に沿って分割され、分割部分を、ファスナー３２ａで連結分離可能に形成している。これにより、寒暖に応じて側壁部３２を連結分離させて開放閉鎖することが可能となり、必要に応じて温度調整することができる。
【００４８】
また、テント本体３の天井壁部３１を網目状に形成しているので、テント本体３の天井壁部３１より採光することが可能となり、災害避難用仮設テント１内の照明を昼間時において不要とすることができる。
【００４９】
支承部材５の変形例として、支承部材５Ａは、図９（ａ）、（ｂ）に示すように、弾性を有し帯状で、畳４の床面Ｆ側の面から床面Ｆ側の横枠部２１を巻き付けて畳４の上側の面にわたるＵ字状に形成され、複数配置されている。
【００５０】
支承部材５Ａは、畳４と床面Ｆとの間に配置されるとともに畳４の一部が載置される下敷部材支承部５１Ａと、下敷部材支承部５１Ａに隣接して横枠部２１と床面Ｆとの間に配置されるとともに横枠部２１の一部が乗せられて横枠部２１を支持する横枠部支承部５２Ａと、を備えている。
【００５１】
支承部材５Ａは、下敷部材支承部５１Ａの畳４側の面で面ファスナー７を介して畳４に装着され、畳４の上側の端部の畳４側の面で面ファスナー７を介して装着されて配置されている。このような構成によっても、支承部材５を用いた場合と同様の効果を奏することができる。また、畳４の上下の面において面ファスナー７で固定されるので、畳４と床面Ｆ側の横枠部２１とのズレを防止することができる。
【００５２】
また、支承部材５Ａは、一端を畳４と縫合等して固定し、他端側を自由端にした構成にしてもよい。
【００５３】
上記の支承部材５Ａにおいて、床面Ｆ側の横枠部２１を連結する角部三叉継手部材６１及びＴ型三叉継手部材６２を支承部材５Ａで巻回するようにすれば、効果的に避難所の床面Ｆを傷つけることなく設置、使用することができる。
【００５４】
支承部材５は、上述した構成に限定されない。畳４と床面Ｆとの間に配置されるとともに、畳４と床面Ｆ側の横枠部２１とを載置できる構成であれば、既存の部材を用いることができる。
【符号の説明】
【００５５】
１  災害避難用仮設テント
２  骨組
３  テント本体
３１  天井壁部
３２  側壁部
３２ａ  ファスナー
４  畳
５、５Ａ  支承部材
５１  角支承部材
５１ａ  下敷部材支承部
５１ｂ  横枠部支承部
５１Ａ  下敷部材支承部
５２  中央支承部材
５２ａ  下敷部材支承部
５２ｂ  横枠部支承部
５２Ａ  横枠部支承部
６  継手部材
６１  角部三叉継手部材
６２  Ｔ型三叉継手部材
Ｆ  床面
【図１】
0003169545.tif 000003
【図２】
0003169545.tif 000004
【図３】
0003169545.tif 000005
【図４】
0003169545.tif 000006
【図５】
0003169545.tif 000007
【図６】
0003169545.tif 000008
【図７】
0003169545.tif 000009
【図８】
0003169545.tif 000010
【図９】
0003169545.tif 000011